(57)【要約】【課題】  容易かつ安価にシャーシに取り付けることができる「粘性体封入ダンパ」と、それを用いてコストダウンを図った「防振構造」、および該防振構造を備えた「ディスクプレーヤ」を提供すること。【解決手段】  メカシャーシ１０とメインシャーシ２０との間に介設される粘性体封入ダンパ１が、合成ゴムからなり粘性体３が封入された袋体２と、硬質樹脂からなり袋体２の一端側に突出する連結突起部６や袋体２に密着接合されたフランジ部７を有する第１取付部４と、同じく硬質樹脂からなり袋体２の他端側の開口２ａを蓋閉する第２取付部５とを備え、二色成形法によって第１および第２取付部４，５と袋体２とを一体化する構成にした。そして、連結突起部６を係合突起部１１にスナップ結合させて第１取付部４をメカシャーシ１０に取り付けると共に、凹溝５ａに辺縁部２０ａを嵌入させて第２取付部５をメインシャーシ２０に取り付けるようにした。【選択図】図３
2007100782.tif 000002
【特許請求の範囲】
【請求項１】
第１のシャーシと第２のシャーシとの間に介設される粘性体封入ダンパにおいて、ベロー形状に成形された合成ゴムからなり内部空間に粘性体が封入された袋体と、この袋体の一端側に突出する連結突起部を設けて前記第１のシャーシに取り付けられる硬質樹脂からなる第１取付部と、前記袋体の他端側の開口を蓋閉して前記第２のシャーシに取り付けられる硬質樹脂からなる第２取付部とを備え、前記袋体と前記第１および第２取付部とを一体化したことを特徴とする粘性体封入ダンパ。
【請求項２】
請求項１の記載において、前記連結突起部が前記第１のシャーシに形成された係合部に係合してスナップ結合される形状に成形されていることを特徴とする粘性体封入ダンパ。
【請求項３】
請求項２の記載において、前記連結突起部が壁面に抜け止め孔を有する有底角筒状に成形されていると共に、前記係合部がプレス加工された凸部を有する係合突起部からなり、前記凸部を前記抜け止め孔に嵌入することによって前記連結突起部が前記係合突起部にスナップ結合されることを特徴とする粘性体封入ダンパ。
【請求項４】
請求項２の記載において、前記連結突起部が幅狭部を有する断面Ｔ字状に成形されていると共に、前記係合部がプレス抜きされた係合凹部からなり、前記幅狭部を前記係合凹部内に圧入して係合することによって前記連結突起部が前記係合凹部にスナップ結合されることを特徴とする粘性体封入ダンパ。
【請求項５】
請求項２〜４のいずれか１項の記載において、前記第１取付部が前記連結突起部の周囲にフランジ部を有し、このフランジ部が前記袋体の一端面に密着接合されていることを特徴とする粘性体封入ダンパ。
【請求項６】
請求項１〜５のいずれか１項の記載において、前記第２取付部に前記第２のシャーシの辺縁部を嵌入させるための凹溝を設けたことを特徴とする粘性体封入ダンパ。
【請求項７】
第１のシャーシと第２のシャーシとの間に介設した粘性体封入ダンパによって振動を減衰させる防振構造において、
前記粘性体封入ダンパが、ベロー形状に成形された合成ゴムからなり内部空間に粘性体が封入された袋体と、この袋体の一端側に突出する連結突起部を設けて前記第１のシャーシに取り付けられる硬質樹脂からなる第１取付部と、前記袋体の他端側の開口を蓋閉して前記第２のシャーシに取り付けられる硬質樹脂からなる第２取付部とを備え、前記袋体と前記第１および第２取付部とを一体化すると共に、前記第１のシャーシに前記第１取付部をスナップ結合させる係合部を形成したことを特徴とする防振構造。
【請求項８】
請求項７の記載において、前記第１取付部が前記連結突起部の周囲にフランジ部を有し、このフランジ部が前記袋体の一端面に密着接合されていることを特徴とする防振構造。
【請求項９】
請求項７または８の記載において、前記第２取付部に凹溝を設け、この凹溝に前記第２のシャーシの辺縁部を嵌入させることによって、該第２取付部が該第２のシャーシに取り付けられるようにしたことを特徴とする防振構造。
【請求項１０】
請求項７〜９のいずれか１項に記載の防振構造を備えたことを特徴とするディスクプレーヤ。
【発明の詳細な説明】
【技術分野】
【０００１】
本発明は、シリコンオイル等の粘性体が袋体内に封入されている粘性体封入ダンパと、それを用いた防振構造と、該防振構造を備えたディスクプレーヤとに関する。
【背景技術】
【０００２】
ＣＤやＤＶＤ等のディスクを装填して使用される車載用ディスクプレーヤにあっては、光ピックアップやターンテーブル等が配設されているドライブユニットがメインシャーシの内部に固定的に支持されていると、プレイ動作時（情報の再生時や記録時）に外部からの振動が光ピックアップやターンテーブル上のディスクに直接作用して音飛び等の障害を発生させやすくなるため、通常、被支持部材であるドライブユニットと支持部材であるメインシャーシとの間には複数箇所に粘性体封入ダンパが介設されている。すなわち、ドライブユニットが粘性体封入ダンパを介してメインシャーシに弾性的に支持されていると、光ピックアップやターンテーブル上のディスクに対して外部からの振動が直接作用しなくなるため、車両の走行中にもドライブユニットを正常にプレイ動作させることができる。なお、この種の車載用ディスクプレーヤにはドライブユニットをメインシャーシに対してロック状態とアンロック状態とに切り換えるロック切換機構が備えられており、プレイ動作時にはドライブユニットがメインシャーシに弾性的に支持されるアンロック状態に設定されるが、ディスク挿入時やディスク排出時にはドライブユニットがメインシャーシに対して拘束されるロック状態に設定されるようになっている。
【０００３】
このように車載用ディスクプレーヤ等の防振対策として使用されている従来の粘性体封入ダンパは、一般的に、合成ゴム（エラストマー）等の弾性材料からなる袋体と、この袋体の内部空間に封入されたシリコンオイル等の粘性体と、袋体の開口を蓋閉する硬質樹脂からなる取付部とを備えた構成で、支持部材であるメインシャーシと被支持部材側のメカシャーシとの間に介設されるようになっている。その際、従来の粘性体封入ダンパは、いずれか一方のシャーシに取付部を固定すると共に、他方のシャーシに付設された連結ピンの先端部を袋体の凹部に嵌入することによって両シャーシ間に介設される（例えば、特許文献１参照）。これにより、支持部材（メインシャーシ）が振動すると袋体内の粘性体が撹拌されて粘性抵抗を生じ、この粘性抵抗によって振動が吸収されるため、支持部材の振動は著しく減衰して被支持部材（メカシャーシ）に伝達されることになる。
【特許文献１】特開平５−３１７５１号公報（第３頁、第８図）
【発明の開示】
【発明が解決しようとする課題】
【０００４】
ところで、前述した従来の粘性体封入ダンパを用いた防振構造では、合成ゴム等の弾性材料からなる袋体の凹部に対して表面が滑らかな連結ピンの先端部を嵌入させることによって、袋体が損傷することなくシャーシに取り付けられるようになっているが、この場合、別途用意した連結ピンをかしめ等の適宜手段で予めシャーシに立設しておかなければならないので、ダンパ取付前の準備工程が煩雑化してコストアップを余儀なくされていた。また、弾性材料からなる袋体は連結ピンを嵌入させる際に弾性変形してしまうので、ダンパ取付作業自体も容易ではなく、作業時間の増大がコストアップの要因となっていた。
【０００５】
本発明は、このような従来技術の実情に鑑みてなされたもので、その第１の目的は、容易かつ安価にシャーシに取り付けることができる粘性体封入ダンパを提供することにあり、第２の目的は、かかる粘性体封入ダンパを用いてコストダウンを図った防振構造および該防振構造を備えたディスクプレーヤを提供することにある。
【課題を解決するための手段】
【０００６】
本発明は、第１のシャーシと第２のシャーシとの間に介設される粘性体封入ダンパを、合成ゴムからなり粘性体が封入された袋体と、この袋体の一端側に突出する連結突起部を設けた硬質樹脂からなる第１取付部と、同じく硬質樹脂からなり袋体の他端側の開口を蓋閉する第２取付部とを備え、これら袋体と第１および第２取付部とを一体化する構成にした。そして、第１取付部を第１のシャーシに取り付けると共に、第２取付部を第２のシャーシに取り付けることにより、両シャーシ間に粘性体封入ダンパが介設される防振構造および該防振構造を備えたディスクプレーヤを実現した。
【発明の効果】
【０００７】
本発明による粘性体封入ダンパは、粘性体が封入された合成ゴムからなる袋体の両端側にそれぞれ硬質樹脂からなる第１取付部と第２取付部が密着接合されており、第１取付部と第２取付部をそれぞれ対応するシャーシに直接取り付けることができるので、この粘性体封入ダンパを両シャーシ間に介設する取付作業に先立って、連結ピン等の別部材をシャーシに立設しておく必要がなくなり、取付作業時に袋体の弾性変形によって作業性が損なわれることもなくなる。それゆえ、容易かつ安価にシャーシに取り付けることができる優れた粘性体封入ダンパが得られ、この粘性体封入ダンパを用いることによって防振構造および該防振構造を備えたディスクプレーヤのコストダウンを促進できる。
【発明を実施するための最良の形態】
【０００８】
上記第１の目的を達成するために、本発明では、第１のシャーシと第２のシャーシとの間に介設される粘性体封入ダンパにおいて、ベロー形状に成形された合成ゴムからなり内部空間に粘性体が封入された袋体と、この袋体の一端側に突出する連結突起部を設けて前記第１のシャーシに取り付けられる硬質樹脂からなる第１取付部と、前記袋体の他端側の開口を蓋閉して前記第２のシャーシに取り付けられる硬質樹脂からなる第２取付部とを備え、前記袋体と前記第１および第２取付部とを一体化する構成とした。
【０００９】
このように構成された粘性体封入ダンパは、粘性体が封入される袋体の一端側と他端側にそれぞれ硬質樹脂からなる第１取付部と第２取付部が密着接合されており、第１取付部が第１のシャーシに取り付けられると共に、第２取付部が第２のシャーシに取り付けられるため、合成ゴムからなる袋体は第１取付部または第２取付部を介してシャーシに取り付けられることになる。つまり、硬質樹脂からなる第１取付部と第２取付部とをそれぞれ第１のシャーシと第２のシャーシに直接取り付けることができるため、この粘性体封入ダンパを両シャーシ間に介設する取付作業に先立って、連結ピン等の別部材をシャーシに立設しておく必要がなくなり、取付作業時に袋体の不所望な弾性変形によって作業性が損なわれることもなくなる。
【００１０】
上記の構成において、第１取付部の連結突起部が第１のシャーシに設けられた係合部に係合してスナップ結合される形状に成形されていると、粘性体封入ダンパを第１のシャーシに簡単かつ確実に取り付けることができるため好ましい。例えば、連結突起部が壁面に抜け止め孔を有する有底角筒状に成形されていると共に、係合部がプレス加工された凸部を有する係合突起部からなり、この凸部を抜け止め孔に嵌入するというスナップ結合を採用すればよい。あるいは、連結突起部が幅狭部を有する断面Ｔ字状に成形されていると共に、係合部がプレス抜きされた係合凹部からなり、幅狭部を係合凹部内に圧入して係合するというスナップ結合を採用すればよい。
【００１１】
この場合において、第１取付部が連結突起部の周囲にフランジ部を有し、このフランジ部が袋体の一端面に密着接合されていると、粘性体封入ダンパを第１のシャーシにスナップ結合させる際にフランジ部を治具等で把持することによって作業性が一層向上するため好ましい。
【００１２】
また、上記の構成において、第２取付部に第２のシャーシの辺縁部を嵌入させるための凹溝が設けてあると、第２取付部をねじ止め等によって第２のシャーシに固定する必要がなくなり、粘性体封入ダンパを第２のシャーシに簡単に取り付けることができるため好ましい。
【００１３】
また、上記第２の目的を達成するために、本発明では、第１のシャーシと第２のシャーシとの間に介設した粘性体封入ダンパによって振動を減衰させる防振構造において、前記粘性体封入ダンパが、ベロー形状に成形された合成ゴムからなり内部空間に粘性体が封入された袋体と、この袋体の一端側に突出する連結突起部を設けて前記第１のシャーシに取り付けられる硬質樹脂からなる第１取付部と、前記袋体の他端側の開口を蓋閉して前記第２のシャーシに取り付けられる硬質樹脂からなる第２取付部とを備え、前記袋体と前記第１および第２取付部とを一体化すると共に、前記第１のシャーシに前記第１取付部をスナップ結合させる係合部を形成する構成とした。
【００１４】
このように構成された防振構造によれば、粘性体封入ダンパの袋体の一端側と他端側にそれぞれ硬質樹脂からなる第１取付部と第２取付部が二色成形加工によって密着接合されており、これら第１取付部と第２取付部をそれぞれ第１のシャーシと第２のシャーシに直接取り付けることができ、合成ゴムからなる袋体は第１取付部または第２取付部を介してシャーシに取り付けられることになるので、この粘性体封入ダンパを両シャーシ間に介設する取付作業に先立って、連結ピン等の別部材をシャーシに立設しておく必要がなくなる。また、かかる取付作業時に袋体の不所望な弾性変形が回避できると共に、第１取付部を第１のシャーシの係合部にスナップ結合させることができるため、作業性が大幅に向上する。
【００１５】
上記の構成において、粘性体封入ダンパの第１取付部が連結突起部の周囲にフランジ部を有し、このフランジ部が袋体の一端面に密着接合されていると、粘性体封入ダンパを第１のシャーシの係合部にスナップ結合させる際にフランジ部を治具等で把持することによって作業性が一層向上するため好ましい。
【００１６】
また、上記の構成において、第２取付部に凹溝を設け、この凹溝に第２のシャーシの辺縁部を嵌入させることによって、該第２取付部が該第２のシャーシに取り付けられるようにしてあると、第２取付部をねじ止め等によって第２のシャーシに固定する必要がなくなり、粘性体封入ダンパを第２のシャーシに簡単に取り付けることができるため好ましい。
【００１７】
また、本発明のディスクプレーヤは、上記各防振構造を備えた構成を有している。この構成により、組立作業が良好で安価なディスクプレーヤを実現することができる。
【実施例】
【００１８】
実施例について図面を参照して説明すると、図１は本発明の第１実施例に係る粘性体封入ダンパの断面図、図２は該ダンパの斜視図、図３は該ダンパをメインシャーシとメカシャーシ間に介設した状態を示す車載用ディスクプレーヤの部分平面図、図４は該ダンパをメカシャーシに取り付ける様子を示す説明図である。
【００１９】
これらの図に示す粘性体封入ダンパ１は、車載用ディスクプレーヤのドライブユニットの防振対策として使用されるものであって、支持部材であるメインシャーシ２０と、被支持部材であるドライブユニットのメカシャーシ１０との間に介設されている。この粘性体封入ダンパ１は、ベロー形状に成形された合成ゴム（エラストマー）からなる袋体２と、袋体２の内部空間に封入されたシリコンオイル等の粘性体３と、ポリプロピレン等の硬質樹脂からなり例えば二色成形法によって袋体２に密着接合している第１取付部４および第２取付部５とによって構成されており、袋体２の一端側に配設された第１取付部４がメカシャーシ１０に取り付けられ、袋体２の他端側に配設された第２取付部５がメインシャーシ２０に取り付けられるようになっている。なお、特に図示しないが、ドライブユニットのメカシャーシ１０には、ディスクを回転駆動するターンテーブルおよびスピンドルモータと、ディスクに記録された情報を読み取りおよび／またはディスクに情報を記録するための光ピックアップが搭載されている。
【００２０】
粘性体封入ダンパ１の第１取付部４は、袋体２の一端側に突出してメカシャーシ１０の係合突起部１１にスナップ結合される有底角筒状の連結突起部６と、この連結突起部６の周囲に延在する円板状のフランジ部７とからなり、連結突起部６の露出部分の相対向する２箇所に抜け止め孔６ａが形成されていると共に、フランジ部７が袋体２の一端面に密着接合されている。そして、いずれか一方の抜け止め孔６ａにメカシャーシ１０の係合突起部１１にプレス加工された凸部１１ａを嵌入させることによって、連結突起部６を係合突起部１１にスナップ結合させることができる。なお、この粘性体封入ダンパ１の外観は周方向に１８０度回転させても変化しない対称形状であり、係合突起部１１に形成された凸部１１ａをどちらの抜け止め孔６ａに嵌入させても構わないので、メカシャーシ１０に取り付ける際に粘性体封入ダンパ１の位置合わせは容易に行える。
【００２１】
粘性体封入ダンパ１の第２取付部５は、袋体２の他端側の開口２ａを蓋閉する底板部８と、袋体２の開口２ａ周縁部を包囲して密着接合された円環部９とからなり、円環部９の外周面に凹溝５ａが形成されている。そして、この凹溝５ａにメインシャーシ２０の辺縁部２０ａを嵌入させることによって、粘性体封入ダンパ１をメインシャーシ２０に取り付けることができる。円環部９の周縁には互いに対向する一対の平坦部５ｂ，５ｂが形成されている。この平坦部５ｂ，５ｂは前記連結突起部６の抜け止め孔６ａが形成された一対の壁面と平行となるように形成されており、この平坦部５ｂ，５ｂの一方がメカシャーシ１０の係合突起部１１の凸部１１ａの突出方向を向くように粘性体封入ダンパ１の回転位置を調整することで、凸部１１ａと抜け止め孔６ａとが位置合わせされる。
【００２２】
この粘性体封入ダンパ１は、第１取付部４および第２取付部５を袋体２の成形金型の一部となす二色成形法を用いて成形することにより、両取付部４，５と袋体２とが一体化されており、図１においてフランジ部７の下面と円環部９の内周面が袋体２の成形金型のキャビティに臨出する面となる。この袋体２は合成ゴムをベロー形状に成形したものなので弾性変形しやすいが、袋体２の内部空間には粘性体３が充填されているので、袋体２が弾性変形すると粘性体３が撹拌されて粘性抵抗を生じるようになっている。
【００２３】
上記の如く構成された粘性体封入ダンパ１をメカシャーシ１０に取り付ける際には、図４（ａ）に示すように、連結突起部６の開口端をメカシャーシ１０の係合突起部１１に対向させた状態で、この連結突起部６内へ係合突起部１１を圧入させるべく、図示せぬ治具でフランジ部７を把持して粘性体封入ダンパ１を押し込んでいく。すると、連結突起部６内へ係合突起部１１が所定量圧入された時点で、一方の抜け止め孔６ａに係合突起部１１の凸部１１ａが嵌入して連結突起部６が係止された状態となるため、図４（ｂ）に示すように、第１取付部４が係合突起部１１にスナップ結合される。したがって、粘性体封入ダンパ１を簡単かつ確実にメカシャーシ１０に取り付けることができる。また、粘性体封入ダンパ１をメインシャーシ２０に取り付ける際には、第２取付部５の凹溝５ａにメインシャーシ２０の辺縁部２０ａを嵌入させることによって、図３に示すように、粘性体封入ダンパ１を簡単かつ確実にメインシャーシ２０に取り付けることができる。
【００２４】
こうしてメカシャーシ１０とメインシャーシ２０との間に粘性体封入ダンパ１を介設した防振構造において、メインシャーシ２０の振動が第２取付部５に伝達されると、粘性体３を撹拌しながら袋体２が弾性変形して粘性抵抗が生じ、この粘性抵抗によって振動が吸収されるため、メインシャーシ２０の振動は著しく減衰して第１取付部４やメカシャーシ１０に伝達されることになる。それゆえ、メインシャーシ２０からの振動が被支持部材であるドライブユニットのメカシャーシ１０に悪影響を及ぼす可能性が低くなり、車両の走行中にもドライブユニットを正常にプレイ動作させることができる。
【００２５】
このように本実施例によれば、粘性体封入ダンパ１の袋体２の一端側と他端側にそれぞれ硬質樹脂からなる第１取付部４と第２取付部５が二色成形法によって密着接合されており、これら第１取付部４と第２取付部５をそれぞれメカシャーシ１０とメインシャーシ２０に直接取り付けることができるので、この粘性体封入ダンパ１を両シャーシ１０，２０間に介設する取付作業に先立って、連結ピン等の別部材をシャーシ側に立設しておく必要がなくなり、コスト面で有利となる。また、合成ゴムからなる袋体２は両シャーシ１０，２０に対する取付箇所とはならないため、粘性体封入ダンパ１の取付作業時に袋体２の不所望な弾性変形によって作業性が損なわれる心配はない。しかも、本実施例では、第１取付部４をメカシャーシ１０に取り付ける際に、フランジ部７を治具等で把持して連結突起部６を簡単に係合突起部１１にスナップ結合させることができ、かつ、第２取付部５をメインシャーシ２０に取り付ける際には凹溝５ａに辺縁部２０ａを嵌入させればよいので、連結ピンを圧入したりねじ止めを行う場合に比べてダンパ取付作業を効率良く短時間で行える。したがって、この粘性体封入ダンパ１は、メカシャーシ１０とメインシャーシ２０との間に安価に介設することができ、防振構造およびこの防振構造を備えた車載用ディスクプレーヤのコストダウンが図れる。
【００２６】
図５は本発明の第２実施例に係る粘性体封入ダンパを車載用ディスクプレーヤのメカシャーシに取り付ける様子を示す説明図であり、図４と対応する部分に同一符号を付すことで重複する説明は省略する。
【００２７】
図５に示す第２実施例は、粘性体封入ダンパ１の第１取付部４の形状と、この第１取付部４を係合せしめるメカシャーシ１０側の係合部の形状が前述した第１実施例と異なっている。すなわち、連結突起部６を断面Ｔ字状に形成して幅狭部６ｂを設け、この幅狭部６ｂをメカシャーシ１０に設けた係合凹部１２内に圧入して係合させることにより、第１取付部４がメカシャーシ１０にスナップ結合できるようになっている。係合凹部１２はプレス加工によってメカシャーシ１０に簡単に形成することができ、この係合凹部１２内には圧入した連結突起部６の抜き方向への移動を規制する抜け止めフック１２ａが形成されている。このような構成により、第２実施例にあっても連結ピン等の別部材をシャーシ側に立設しておく必要がなくなるため、前述した第１実施例と同様の効果を奏することができる。
【図面の簡単な説明】
【００２８】
【図１】本発明の第１実施例に係る粘性体封入ダンパの断面図である。
【図２】該ダンパの斜視図である。
【図３】該ダンパをメインシャーシとメカシャーシ間に介設した状態を示す車載用ディスクプレーヤの部分平面図である。
【図４】該ダンパをメカシャーシに取り付ける様子を示す説明図である。
【図５】本発明の第２実施例に係る粘性体封入ダンパをメカシャーシに取り付ける様子を示す説明図である。
【符号の説明】
【００２９】
１  粘性体封入ダンパ
２  袋体
２ａ  開口
３  粘性体
４  第１取付部
５  第２取付部
５ａ  凹溝
６  連結突起部
６ａ  抜け止め孔
６ｂ  幅狭部
７  フランジ部
１０  メカシャーシ
１１  係合突起部（係合部）
１１ａ  凸部
１２  係合凹部（係合部）
１２ａ  抜け止めフック
２０  メインシャーシ
２０ａ  辺縁部
【図１】
2007100782.tif 000003
【図２】
2007100782.tif 000004
【図３】
2007100782.tif 000005
【図４】
2007100782.tif 000006
【図５】
2007100782.tif 000007